(57)【要約】      （修正有）【課題】撓み強度が向上したプラスチック製パレットを提供する。【解決手段】その上面に荷物を積載するデッキ２０と、前記デッキの下面から所定間隔おきに突出している複数の支持ブロック２１と、前記デッキの下面から突出し、前記支持ブロック間に延在している複数のリブ２２と、から構成されており、前記デッキの上面の、前記複数の支持ブロックに対応する位置に複数の第一凹陥部が形成されており、前記複数のリブに対応する位置に第二凹陥部が形成されており、且つ、複数のパレットが上下重なる場合、前記複数の第一凹陥部は上積みのパレットの前記複数の支持ブロックを収容し、前記第二凹陥部は上積みのパレットの前記複数にリブを収容することができるように構成する。【選択図】図５
0003160397.tif 000002
【実用新案登録請求の範囲】
【請求項１】
その上面に荷物を積載するデッキと、前記デッキの下面から所定間隔おきに突出している複数の支持ブロックと、前記デッキの下面から突出し、前記支持ブロック間に延在している複数のリブと、から構成されており、
前記デッキの上面の、前記複数の支持ブロックに対応する位置に複数の第一凹陥部が形成されており、前記複数のリブに対応する位置に第二凹陥部が形成されており、
且つ、複数のパレットが上下重なる場合、前記複数の第一凹陥部は上積みのパレットの前記複数の支持ブロックを収容し、前記第二凹陥部は上積みのパレットの前記複数にリブを収容することができるように配置構成されていることを特徴とするプラスチック製パレット。
【請求項２】
前記リブ及び前記支持ブロックが、中空部を有する構造となっていることを特徴とする請求項１に記載のプラスチック製パレット。
【請求項３】
前記リブの突出長さは、前記支持ブロックの突出長さより短く形成されていることを特徴とする請求項２に記載のプラスチック製パレット。
【請求項４】
前記リブの突出長さは、前記支持ブロックと同じ突出長さで形成されていることを特徴とする請求項２に記載のプラスチック製パレット。
【請求項５】
前記複数の第一凹陥部は、前記デッキの上面において、所定間隔おきに窪んでおり、
前記複数の第二凹陥部は、前記デッキの上面において、それぞれ隣り合う一対の前記第一凹陥部間に延在しており、
また、前記一対の第一凹陥部間に延在している第二凹陥部は、いずれも、その両端側にある一対の前記第一凹陥部と連通していることを特徴とする請求項４に記載のプラスチック製パレット。
【請求項６】
前記リブは、その両端側の支持ブロックと連続していることを特徴とする請求項５に記載のプラスチック製パレット。
【請求項７】
前記デッキにおける上面の複数の第一凹陥部は、いずれも、対応する下面の中空支持ブロックにおける中空部と連通しており、
前記デッキにおける上面の複数の第二凹陥部は、いずれも、対応する下面の中空リブにおける中空部と連通していることを特徴とする請求項２〜６のいずれか一項に記載のプラスチック製パレット。
【請求項８】
前記デッキにおける下面の前記支持ブロック及び前記リブでない箇所には、凹凸模様が散在していることを特徴とする請求項１〜７のいずれか一項に記載のプラスチック製パレット。
【考案の詳細な説明】
【技術分野】
【０００１】
本考案は、パレットに関し、特に、プラスチック製パレットに関する。
【背景技術】
【０００２】
プラスチック製パレットは、軽量である上、着色性や耐水性も良い。
【０００３】
図１は、従来のプラスチック製パレットの一例を示す上面図であり、図２は、その下方からみた斜視図である。図示のように、該従来のパレットは、荷物を載置するデッキ１０の下面１０１から、複数の支持ブロック１１が所定間隔をおいて下へ突出している。また、デッキ１０の上面１０２の、複数の支持ブロック１１に対応する位置に、複数の凹陥部１１１が形成されている。
【０００４】
このような従来のプラスチック製パレットは、使用時に、全ての支持ブロック１１を地面や架台などに着けて、荷物を均一且つ安定に載置することができ、また、使用後に、複数枚を上下重ねると、上方パレットにおける複数の支持ブロック１１が下方パレットにおける複数の凹陥部１１１に嵌まり、コンパクト且つ安定に積み上げることができる。
【考案の概要】
【考案が解決しようとする課題】
【０００５】
しかしながら、このような従来のプラスチック製パレットでは、図３に示すように、複数の支持ブロック１１のうち、いくつかの支持ブロック１１が架台５１などに着いていないとき、デッキ１０が載置している荷物の重量によって撓むことがあり、折れ易い問題点がある。
【０００６】
本考案は、前記問題点に鑑みてなされたもので、撓み強度が向上したプラスチック製パレットを提供することを目的とする。
【課題を解決するための手段】
【０００７】
前記目的を達成するために、本考案は、その上面に荷物を積載するデッキと、前記デッキの下面から所定間隔おきに突出している複数の支持ブロックと、前記デッキの下面から突出し、前記支持ブロック間に延在している複数のリブと、から構成されており、前記デッキの上面の、前記複数の支持ブロックに対応する位置に複数の第一凹陥部が形成されており、前記複数のリブに対応する位置に第二凹陥部が形成されており、且つ、複数のパレットが上下重なる場合、前記複数の第一凹陥部は上に積まれたパレットの前記複数の支持ブロックを収容し、前記第二凹陥部は上に積まれたパレットの前記複数のリブを収容することができるように配置構成されていることを特徴とするプラスチック製パレットを提供する。
【０００８】
前記支持ブロック及び前記リブは、中空部を有する構造であっても、中空部を有しない構造であっても良いが、中空部を有する構造であるほうが好ましい。中空部を有する構造として、前記支持ブロック及び前記リブは、前記デッキの対応箇所において上方へ開口し、下方へ突出することで、前記デッキの上面にそれぞれに対応する前記第一凹陥部または前記第二凹陥部が形成される構造、即ち、前記支持ブロックにおける中空部が前記第一凹陥部と連通する上、一体化し、前記リブにおける中空部が前記第二凹陥部と連通する上、一体化するものが挙げられる。
【０００９】
また、前記リブの突出長さは、前記支持ブロックの突出長さより長くなければ良く、即ちそれと等しくてもそれより短くても良い。
【考案の効果】
【００１０】
本考案の前記構成によるパレットは、デッキの複数の支持ブロック間にリブが延在しているので、撓み強度が向上し、場合により、複数の支持ブロックのうち、いくつかの支持ブロックが地面や架台などに着いていなくても折れにくい、という利点がある。
【図面の簡単な説明】
【００１１】
【図１】従来のプラスチック製パレットの上面図である。
【図２】図１の従来のプラスチック製パレットを下方から見た斜視図である。
【図３】図１の従来のプラスチック製パレットの使用例を説明する側面図である。
【図４】本考案における実施例１の上面図である。
【図５】図４の実施例１を下方から見た斜視図である。
【図６】実施例１の使用例を説明する側面図であり、中空リブが形成されている側の側面から見た図である。
【図７】実施例１のもう一つの使用例を説明する側面図であり、中空リブが形成されている側の側面から見た図である。
【図８】実施例２の側面図であり、中空リブが形成されている側の側面から見た図である。
【考案を実施するための形態】
【００１２】
以下、図４〜図８を参照しながら、本考案の実施例を説明する。
【実施例１】
【００１３】
図４〜図５に示すように、本実施例１のプラスチック製パレットは、荷物（図示せず）を積載するデッキ２０と、デッキ２０の下面２０１から所定間隔おきに一体的に突出している複数の中空支持ブロック２１と、デッキ２０の下面２０１から一体的に突出し、複数の支持ブロック２１間に延在している複数の中空リブ２２と、から構成されている。
【００１４】
中空支持ブロック２１は、いずれも、その突出長さが同一であり、且つ、デッキ２０の下面２０１から突出するにつれて段段細くなっている。
【００１５】
中空リブ２２は、中空支持ブロック２１と同じ突出長さで形成され、且つ、デッキ２０の下面２０１から突出するにつれて段段細くなっている。
【００１６】
図示のように、本実施例１は、複数の支持ブロック２１が３列に並んでおり、両側の２列の支持ブロック２１が、それぞれの列の支持ブロック２１間で中空リブ２２によって互いに繋がっている。なお、必要であれば、中央の一列の支持ブロック間にも中空リブ２２を形成しても良い。
【００１７】
上記構造による本実施例１のプラスチック製パレットを用いれば、使用時に、全ての支持ブロック２１が地面や架台などに着いている場合は、当然、荷物を均一且つ安定に載置することができ、また、図６に示すように、デッキ２０の両側にある支持ブロック２１だけが架台５１に着いている場合でも、該両側にある支持ブロック間にリブ２２が延在しているので、デッキ２０の撓み強度が高まり、載置している荷物３の重量による撓みが生じにくくなる。
【００１８】
更に、図７に示すように、本実施例１のプラスチック製パレットは、中空リブ２２の突出長さが中空支持ブロック２１の突出長さと同じ長さに形成されているので、該プラスチック製パレットをローラーコンベアー５で搬送する場合、支持ブロック２１がローラー５１の間に落ちることがないため、搬送中に振動や揺れを抑えることができる。
【００１９】
そして、図４〜図５に示すように、デッキ２０の上面２０２の、複数の支持ブロック２１に対応する位置に複数の第一凹陥部２０３が形成されており、複数のリブ２２に対応する位置に第二凹陥部２０４が形成されている。
【００２０】
詳細には、複数の第一凹陥部２０３は、デッキ２０の上面２０２において、複数の支持ブロック２１の３列の配置と同様に並んでおり、複数の第二凹陥部２０４は、複数の中空リブ２２の２列の配置と同様に並んでいる。
【００２１】
そして、デッキ２０における、上面２０２の複数の第一凹陥部２０３は、いずれも、対応する下面２０１の中空支持ブロック２１に嵌るような形状やサイズになっており、下に窪むにつれて段段と狭くなっている。更に、この実施例１における上面２０２の各第一凹陥部２０３は、それと対応している下面２０１の中空支持ブロック２１における中空部２１０と一体化している。言い換えれば、いずれの中空支持ブロック２１も、該デッキ２０の対応箇所において上方へ開口し、下方へ突出していることで、デッキ２０の上面２０２に対応する第一凹陥部２０３が形成されている構造である。
【００２２】
また、デッキ２０における、上面２０２の複数の第二凹陥部２０４は、いずれも、対応する下面２０１の中空リブ２２に嵌るような形状やサイズになっており、下に窪むにつれて段段狭くなっている。更に、この実施例１における上面２０２の複数の第二凹陥部２０４は、それと対応している下面２０１のリブ２２における中空部２２０と一体化している。言い換えれば、いずれのリブ２２も、該デッキ２０における対応箇所において上方へ開口し、下方へ突出していることで、デッキ２０の上面２０２に対応する第二凹陥部２０４が形成されている構造である。
【００２３】
第二凹陥部２０４は、いずれも、その両端側にある一対の第一凹陥部２０３と連通している。
【００２４】
上記構造による本実施例１のプラスチック製パレットは、複数枚を上下重ねると、上方パレットにおける複数の支持ブロック２１が下方パレットにおける複数の第一凹陥部２０３に没入し、上方パレットにおける複数のリブ２２が下方パレットにおける複数の第二凹陥部２０４に没入するので、コンパクト且つ安定に収納でき、使用後の積上げに便利である。
【００２５】
そして、図示されているように、デッキ２０の下面２０１の、支持ブロック２１及びリブ２２以外の箇所には、更に、デッキ２０全体の曲げ強度を上げるための凹凸模様２０５が形成されている。
【００２６】
なお、本実施例１において、プラスチック製パレットにおけるリブ２２は、その両端側の支持ブロック２１と連続しているが、他の実施態様において、リブ２２が、その両端側の支持ブロック２１との間に延在すれば、それらと連続しなくても良い。また、他の実施態様において、リブ２２が支持ブロック２１と連続していない場合、第二凹陥部２０４が、その両端側にある第一凹陥部２０３と連通しなくても良い。
【実施例２】
【００２７】
図８に示すように、本実施例２のプラスチック製パレットは、その構成が実施例１のプラスチック製パレットの構成と似ているため、以下はその相違点のみを説明する。
【００２８】
本実施例２のプラスチック製パレットは、中空リブ２２の突出長さが中空支持ブロック２１より短く形成されているので、例えばフォークリフトで運搬する場合、中空リブ２２が形成されていない側からも、中空リブ２２が形成されている側からも、フォーク部を差し込むことができ、使い勝手が良い。
【産業上の利用可能性】
【００２９】
上述したように、本考案のプラスチック製パレットは、いくつかの支持ブロックが地面や架台などに着いていないときでも撓みにくく、使用中にパレット自体が折れたり破損したりしにくくなり、デッキ上の荷物を安定に載置することができ、また、使用後はコンパクト且つ安定に積み上げることができるので、産業上の利用可能性が大きい。
【符号の説明】
【００３０】
３  荷物
４  架台
５  ローラーコンベアー
２０  デッキ
２１  支持ブロック
２２  リブ
５１  ローラー
２０１  下面
２０２  上面
２０３  第一凹陥部
２０４  第二凹陥部
２０５  凹凸模様
２１０  中空部
２２０  中空部
【図１】
0003160397.tif 000003
【図２】
0003160397.tif 000004
【図３】
0003160397.tif 000005
【図４】
0003160397.tif 000006
【図５】
0003160397.tif 000007
【図６】
0003160397.tif 000008
【図７】
0003160397.tif 000009
【図８】
0003160397.tif 000010